(57)【要約】【課題】  サイズを大きくすることなく、高強度の光線を発光できる自動車用照明及び／又は信号用装置を提供する。【解決手段】  導光シート（２８）が、その一端に反射層（３０）を備えて、この反射層（３０）が光線の向きを前記導光シート（２８）方向に変え、更にこの導光シート（２８）の出力側外形（３６）が、反射層（３０）から離れた端部に、前記シート（２８）の長手方向の軸に対して傾斜している反射体（３８）を備え、これにより、前記光線が、前記長手方向の軸に対して実質的に平行な発光方向に反射するようにした。【選択図】図２
2007311352.tif 000002
【特許請求の範囲】
【請求項１】
−光線を発光する少なくとも１個の光源（３２）と、
−光源（３２）から発光された光線が連続的な反射によって広がる少なくとも１個の光導光シート（２８）を、
備える長手方向（Ｆ）の照明のための自動車用照明及び／又は信号装置において、
前記導光シート（２８）が、その一端に反射層（３０）を備えて、この反射層（３０）が光線の向きを前記導光シート（２８）方向に変え、更にこの導光シート（２８）の出力側外形（３６）が、反射層（３０）から離れた端部に、前記シート（２８）の長手方向の軸に対して傾斜している反射体（３８）を備え、これにより、前記光線が、前記長手方向の軸に対して実質的に平行な発光方向に反射するようにしたことを特徴とする自動車用照明及び／又は信号装置。
【請求項２】
導光シート（２８）が、発光方向（Ｆ）と実質的に直角な平面上を広がっていることを特徴とする請求項１記載の照明及び／又は信号装置。
【請求項３】
出力側外形（３６）が、導光シート（２８）の端部に対して横方向の平面上にある、円形プロファイルの弧状の凹面を有することを特徴とする請求項１又は２記載の照明及び／又は信号装置。
【請求項４】
導光シート（２８）の反射層（３０）が、この反射層（３０）で反射する任意の光が実質的に直角に出力側外形（３６）に到達するようなプロファイルを有することを特徴とする請求項１〜３のいずれか１項に記載の照明及び／又は信号装置。
【請求項５】
導光シート（２８）の反射層（３０）が、長円形のプロファイルを有し、かつ光源（３２）が、長円形のプロファイルの第１の焦点に配置され、環状の出力側外形（３６）の弧の中央が第２の焦点に配置され、これにより反射層（３０）で反射する任意の光が実質的に直角に出力側外形（３６）に到達するようにしたことを特徴とする請求項１〜４のいずれか１項に記載の照明及び／又は信号装置。
【請求項６】
導光シート（２８）の反射層（３０）が、フレネリの光学的性質を有し、これにより反射層（３０）で反射する任意の光が実質的に直角に出力側外形（３６）に到達するようにしたことを特徴とする請求項１〜５のいずれか１項に記載の照明及び／又は信号装置。
【請求項７】
出力側外形（３６）が、導光シート（２８）に対して、横方向かつ長手方向の平面に、出力フェース（４０）を備え、かつこの出力フェース（４０）が、その形状が、シート（２８）から発光された光線が、装置の長手方向の軸に実質的に平行な出力ビームを形成するようなプロファイルを有することを特徴とする請求項１〜６のいずれか１項に記載の照明及び／又は信号装置。
【請求項８】
導光シート（２８）が、装置の後方に向かって広がる湾曲したシートであることを特徴とする請求項３〜７のいずれか１項に記載の照明及び／又は信号装置。
【請求項９】
−横方向の面に沿って広がる第１の部材（２７）と、
−長手方向の面に沿って広がり、かつ第１の部材（２７）に対して実質的に直角に配置された第２の部材（２９）を備え、
かつ導光シート（２８）の第１の部材（２７）と第２の部材（２９）の交点に、導光シート（２８）の長手方向の軸に対して傾斜し、これにより光が導光シート（２８）の出力側外形（３６）に向けて反射する反射フェース（３１）を備える、
こととして知られる折り曲げ導光シート（２８ｂ）を備えることを特徴とする請求項１〜７のいずれか１項に記載の照明及び／又は信号装置。
【請求項１０】
光源（３２）が、折り曲げ導光シート（２８ｂ）として知られる第１の部材（２７）の反射層（３０）の長円形プロファイルの第１の焦点に配置されていることを特徴とする請求項９に記載の照明及び／又は信号装置。
【請求項１１】
光源（３２）が、折り曲げ導光シート（２８ｂ）として知られる第１の部材（２７）の反射層（３０）の長円形プロファイルの第２の焦点に配置されていることを特徴とする請求項９に記載の照明及び／又は信号装置。
【請求項１２】
光源（３２）が、光線を放射状に発光する発光ダイオードで、装置の横方向の面に対して、最大で約５０°、好ましくは約３０°の角度を有する円錐孔の長手方向軸の周囲に発光することを特徴とする請求項１〜１１のいずれか１項に記載の照明及び／又は信号装置。
【請求項１３】
導光シート（２８）が、
−その基部（４１）が、発光方向（Ｆ）に対して、後面（３５）側にあり、かつ光源（３２）が収容されている円筒状の空間（４２）及び
−光源（３２）から発光される全ての光を導光シート（２８）内に反射させるように、円筒状空間（４２）に対して形成され、発光方向（Ｆ）に対して前面側にある、回転により生成されたプリズム（４４）を備え、
かつ光源（３２）が、光を長手方向の発光方向（Ｆ）に発光する光源であることを特徴とする請求項２〜１２のいずれか１項に記載の照明及び／又は信号装置。
【請求項１４】
光源（３２）が、光ガイドの端部に配置された光源であり、かつ光ガイドの他端が、平面状の基部（４１）を有する空間（４２）に配置され、これにより光線が導光シート（２８）内に向かうようにしたことを特徴とする請求項１３に記載の照明及び／又は信号装置。
【請求項１５】
モジュールの長手方向の軸の周りの横方向の面に、放射状に分散された、請求項１〜１４のいずれか１項に記載の複数の装置を備えることを特徴とする自動車用照明及び／又は信号モジュール。
【請求項１６】
各々が、光源（３２）と導光シート（２８）を備える、放射状に配置された少なくとも４個の装置を備え、これにより環状の光ビームを生成させることを特徴とする請求項１５に記載の自動車用照明及び／又は信号モジュール。
【発明の詳細な説明】
【技術分野】
【０００１】
本発明は、自動車用照明又は信号装置に関する。より詳細には、本発明は、例えばＤＲＬ（日中走行用光線ライト）として知られる日中用ライトのような信号用ライトを生成させるために十分な強度を保持し、かつ種々の形状の光線を形成できる自動車用照明器具に関する。
【背景技術】
【０００２】
一般に、この種のタイプの装置は、
−光線を放射する少なくとも１個の光源と、
−光源から放射された光線が、連続的に反射することによって広がる少なくとも１個の光導光シート、
とを備えている。
【０００３】
複数の照明又は信号機能を、単一のハウジング内で発揮させることにより、自動車におけるこれらの機能のための電気配線を簡単にすることは従来から一般に行われている。各機能を発揮させるためには、一般に、光源と反射鏡が設けられ、更に選択的にレンズが設けられて入る。これらの種々の要素は、照明又は信号ビームを発するように配置され、その幾何的及び光学的特性は、種々の規則に合致していなければならない。
【０００４】
単一のハウジング内に複数の機能要素を設けるためには、光ガイドを使用して、スペースを有効に利用できるようにすることが考えられている。
【０００５】
図１に例示した光ガイド１８は公知である。この光ガイド１８は、環状に構成され、例えば光線が透過するヘッドライトの前縁を囲むように配置される。これらは、一連のプリズム又は突起から成るフェースと、円筒状の又は円環状の出力フェースを備えている。このフェースのプリズム又は突起は、光線を、光ガイド内で出力フェースに向かうように拡散させ、そこから、例えばヘッドライト内の駐車灯の機能を満足させるために、
出力ビームを供給する。
【０００６】
この種のタイプの解決法には、ハロゲンランプ、楕円形反射鏡１０、可撓性繊維の光学的束１２を必要とし、更に成形した光ガイド１８の表面を加工して、プリズムや突起を形成する必要がある。
【０００７】
更にこの解決法では、光ガイド内に向けて広がる光線の突起やプリズムによる屈折をコントロールすることはできず、光の強度に多大なロスが生じる。そのため、生成された光ビームの強度は、スタート時に使用した光源と比較して弱い。
【０００８】
高強度を必要とする特定の用途に対しては、例えば、ハロゲン型ランプや、全システムを高価なものにしてしまうような、高価であるか、発熱の問題を生じさせる高フラックス源を必要とする。
【０００９】
他方、発生するビーム中には、突起やプリズムの繰り返し部が存在するため、光ガイド１８は不均質な外観を有している。
【００１０】
従って、閉じた外形を有する光ガイド１８は、その屈曲部１６に強い強度の光点を有する。そのため、照明機能の質と、装置の視覚的な質が損なわれる。
【００１１】
最後に、この解決法は、光源、反射鏡１０、繊維の光学的束１２及び光ガイド１８を収容するための、大きなサイズのハウジングを必要とするという欠点がある。
【００１２】
特許文献１は、複数の反射器、光ファイバー及び光ガイドを結合し、かつハロゲンランプ型の光源を必要とする他の照明装置を提案している。この解決法によると、１個のランプの中に、多くの機能部品を設けることができるが、実施するのは高価になる。
【００１３】
また、従来の文献は、ＤＲＬ機能のような照明機能を満足させるための特定形状と十分な強度を有する光ビームを得るための効率的な解決法を提案していない。
【特許文献１】ヨーロッパ特許公開第１，５５７，６０５号公報
【発明の開示】
【発明が解決しようとする課題】
【００１４】
これらの問題点を解決するために、本発明は、前述したタイプの照明及び／又は信号装置であって、その導光シートは、一端に光線の向きを変えてシート中に戻すための反射層を有し、かつ反射層から離れた端部のシートの出力側外形は、前記シートの長手方向の軸に対して傾斜している反射体を備え、これにより、前記光線が、前記長手方向の軸に対して実質的に平行である長手方向の発光方向に反射するようになっている装置を提案するものである。
【課題を解決するための手段】
【００１５】
本発明において、導光シートに関連する「反射体」又は「反射層」とは、それらの光学的機能を意味する。それらの表面は、それらに到達する光線を（少なくとも部分的に）反射する。しかしこれらの語は、前記反射を可能にする任意の光学的手段を含むことができ、特にその中の２つは本発明にとって重要である。即ち、
−そのプロファイルがどのようであろうと、対象表面を処理して本質的に反射性を有するようにする。これは、特に、公知の方法でアルミニウムめっきを行って、薄い反射層を被覆することである。
【００１６】
−反射させる光の入射角に関連させて、対象とする表面のプロファイルを選択し、これにより全反射の原理に従って、光を前記表面で反射させる。
【００１７】
これら２種の反射手段を、同じ表面で組み合わせて使用することも、本発明の技術的範囲に含まれる。すなわち、対象とする表面の一部に前述のように反射層を被覆し、更に残りの表面上に全反射を「行わせる」層を形成する。アルミニウムめっきするゾーンと、全反射させるゾーンの画定は、光学技術者により正確に行うことができる。
【００１８】
本発明の他の特徴は、次の通りである。
【００１９】
−導光シートは、発光方向に対し、実質的に直角方向の平面に広がっている。
【００２０】
−出力外形は、環状プロファイルの凹状弧であり、これは特に導光シートの端部に対し、直角な面に位置している。
【００２１】
−導光シートの反射層は、この反射層で反射した光が、出力に実質的に直交して到達するようなプロファイルを有する。
【００２２】
−導光シートの反射層は、長円形のプロファイルを有し、かつ光源は、長円形のプロファイルの第１の焦点に配置され、環状の出力側外形の弧の中央が第２の焦点に配置され、これにより、反射層で反射する光が実質的に直角に出力側外形に到達するようにする。
【００２３】
−導光シートの反射層は、フレネリの光学的性質を備え、これにより反射層で反射する任意の光が、実質的に直角に出力側外形に到達するようにする。
【００２４】
−出力側外形が、導光シートに対して、横方向かつ長手方向の平面に、出力フェースを備え、かつこの出力フェースの形状は、シートから発光された光線が、装置の長手方向の軸に実質的に平行な出力ビームを形成するようなプロファイルを有する。
【００２５】
−導光シートは、装置の後方に向かって広がる湾曲したシートである。
【００２６】
−照明装置は、
−横方向の面に沿って広がる第１の部材と、
−長手方向の面に沿って広がり、かつ第１の部材に対して実質的に直角に配置された第２の部材を備え、
かつ導光シートの第１の部材と第２の部材の交点に、特に導光シートの長手方向の軸に対して傾斜し、これにより、光が導光シートの出力側外形に向けて反射する反射フェースを備える、
こととして知られる折り曲げ導光シートを備えている。
【００２７】
−光源は、折り曲げ導光シートとして知られる第１の部材の反射層の長円形プロファイルの第１の焦点に配置されている。
【００２８】
光源が、好ましくは光線を放射状に発光する発光ダイオードである。好ましくは、このダイオードは、装置の横方向の面に対して、最大で約５０°、好ましくは約３０°の円錐孔の長手方向軸の周囲に発光する。
【００２９】
−導光シートは、
−その基部が、発光方向に対して、後面側にあり、かつ光源が収容されている円筒状の空間、及び
−光源から発光される全ての光を導光シート内に反射させるように、円筒状空間に対して形成され、発光方向に対して前面側にある、回転により生成されたプリズムを備え、
−かつ光源は、光を長手方向の発光方向に発光する光源である。
【００３０】
−光源は、光ガイドの端部に配置され、かつ光ガイドの他端は、平面状の基部を有する空間に配置され、これにより、光線が導光シート内に向かうようになっている。
【００３１】
本発明は、横方向の面に、モジュールの長手方向の軸の周りに放射状に分散させた、複数の前述の装置を備え、環状ビームを生成させる自動車用照明又は信号装置にも関するものである。
【００３２】
他の態様による本発明の自動車用照明又は信号装置は、各々が、光源と導光シートを有する放射状に配置された少なくとも４個の装置を備え、これにより、環状の光ビームを生成させるようになっている。
【発明を実施するための最良の形態】
【００３３】
次に、添付図面に示す、本発明の非限定的な実施例の説明により、本発明の上記した以外の態様や利点が、明らかになると思う。なお説明中、同等、同一又は類似の要素には、同一の符号を使用する。
【００３４】
以下の説明において、「長手方向」、「縦方向」及び「横方向」は、それぞれ図示の３方向であるＬ，Ｖ及びＴを言い、かつ「前方」及び「後方」は、図中矢印Ｆで示した一般的な発光方向とその逆を言う。
【００３５】
図３は、本発明の自動車用照明装置の横断面図である。この例の装置は、装置は、主として、導光シート２８、反射層３０、及びオリフィス３７内に配置された光源３２と、出力側外形３６を有している。
【００３６】
導光シート２８は、ガラス又はプラスチック物質のような、空気の屈折率より屈折率が高い透明な物質から成っている。導光シート２８は、前面３３及び後面３５の２面により長手方向に画定され、全反射が起こるように機能する。入力側層３４から導光シート２８を貫通する光線は、前面３３及び後面３５を連続的に反射して前記導光シート２８の全厚に亘って広がる。
【００３７】
本発明の変形例として、導光シート２８を、高屈折率の物質で形成して、前記導光シート２８を貫通する光線が、その中を連続的に反射するようにしても良い。
【００３８】
図３に示した本発明の実施例においては、導光シート２８は、装置内を横方向に広がる平面状のシートである。
【００３９】
変形例として、導光シート２８を湾曲させるか他の任意の形状として、光線の反射に関する同じ光学的性能を維持したまま、照明モジュール中に占めるスペースを最小限にすることを可能にする。導光シート２８の特定の態様に関しては後述する。
【００４０】
反射層３０は、導光シート２８の端面に存在する。この反射層３０は、長手方向の平面に存在し、前記導光シート２８内を広がる光線を、導光シート２８内に反射させる。
【００４１】
本発明の他の変形例では、反射層３０は、光線を導光シート２８内に反射させる反射内面を備えている。例えば反射層３０は、前記導光シート２８内に反射させるために、部分的に又は完全にアルミニウムめっきを行っても良い。
【００４２】
本発明の他の変形例（図示せず）では、反射層３０の反射面は、反射層３０のプロファイルに従って配置されたフレネルミラーと置き換えられていても良く、このようにすれば反射光を出力側外形に直角に送光することができる。
【００４３】
反射層３０は、この反射層３０で反射した任意の光が、長手方向平面から直角に出力側外形３６に到達するような、出力側外形３６の形状に合ったプロファイルを有している。
【００４４】
図４に示すように、光源３２はオリフィス３７中に配置され、光線を、入力側層３４を通して導光シート２８中に発光させる。
【００４５】
図４に示したように、光源３２は、長手方向軸の周りに光線を投射するように設計されている。より詳しくいうと、光源は、その長手方向軸の周りに３６０°で、かつ導光シート２８の横方向軸に対して約３０°の円錐中に発光する。
【００４６】
例えばサイドエミッター発光ダイオードとして知られる、この種の光源は、導光シート２８中に形成された長手方向軸を有する円筒形のオリフィス３７中に配置することができる。この光源３２から発光された光線は、直角に入力側層３４に到達し、導光シート２８に入る。一旦光線が導光シート２８を貫通すると、その光線は反射層３０で反射され、出力側外形３６に向けて方向を変える。
【００４７】
導光シート２８の他端に配置され、かつ図５の長手方向断面に示された出力側外形３６は、反射体３８と出力側フェース４０を備えている。
【００４８】
反射体３８は、導光シート２８から発し、反射体３８に直角に到達する任意の光が、長手の発光方向（Ｆ）の出力側外形３６の横方向面の外側に反射するように傾斜し、これにより照明又は信号機能を満足させる。
【００４９】
装置の横方向面に配置された平面的な導光シート２８の場合、角度は４５°であるのが好ましい。
【００５０】
出力側外形３６も、おおむね横方向平面に広がる出力側フェース４０を備えている。この出力側フェース４０は、例えば凸面状プロファイルを有し、これにより導光シート２８から発する光線を平行にし、全体的に平行光線を有する光ビームを生成させる。
【００５１】
出力側外形３６は、反射層３０から反射した任意の光が、横方向平面の出力側外形３６に直角に達するように配置される。
【００５２】
図３に示すような、横方向平面にある直線状の出力側外形３６では、反射層３０は、放物線状のプロファイルを有している。
【００５３】
横方向平面が湾曲する出力側外形３６では、反射層３０は、出力側外形３６の各々の湾曲に適合した長円形のプロファイルを有し、依然として光線が直角に出力側外形３６に達するように反射させる。
【００５４】
従来の装置と比較すると、本発明の装置は、都合の良いことに、更に良好な光学的な結果をもたらし、特に、同じ強度の光源を有する従来の装置を使用した場合より、遥かに高い強度の出力ビームを提供できる。
【００５５】
図３の態様では、出力側外形３６は横方向平面に直線状である。この場合に形成される照明ビームは直線状ビームである。
【００５６】
他の態様によると、前述したように、反射層３０が、出力側外形３６に対して直角になるように光線の方向を変えられるプロファイルを有する限り、直線状出力側外形３６を任意の所望形状の出力側外形と置換し、任意の所望形状の照明用ビームを形成できる。  
【００５７】
図２は、特別な形状の出力側外形３６を示し、これにより環状の出力ビームを形成できる。
【００５８】
図２に示す照明装置は、この場合、長手方向軸の周囲に均一に分散した４枚の等しい扇形部分５０から成り、各々は導光シート２８、光源３２、及び円弧状の、より正確には四半円状の出力側外形３６を備えている。
【００５９】
合わせて配置された４個の扇形部分５０は、導光シート２８から発せられる中程度の強度の環状の光を提供し、例えば信号機能を満足させる。これは日中用ライト機能（日中走行用ライト、ＤＲＬ）である。この場合、反射層３０は長円形プロファイルを有する。光源３２は、反射層３０の長円形プロファイルの第１の焦点に配置され、かつ出力側外形３６は、円弧の中心が、反射層３０の長円形プロファイルの第２の焦点に一致するように配置される。
【００６０】
本発明の変形例（図示せず）によると、前記装置は、環状ビームの生成に要求されるような、長手方向軸の周囲に均一に分散した２個から多数個の扇形部分５０から成っている。
【００６１】
しかし、４個の扇形部分５０を有する構成が、最小のスペースで済み、かつ最も有利な光学的結果が得られるという利点を有する。各々が３５Ｌｍのパワーを有する４個のサイドエミッター発光ダイオード型の光源では、最大で約１８００Ｃｄの強度を有する環状ビームが得られるが、従来技術では、同じパワーの４個のダイオードを使用しても、僅か約１６０Ｃｄが得られるだけであった。
【００６２】
この構成に若干の改良を加えることにより、長手方向軸に対して特定の角度から見た際の出力ビームを均一化できる。
【００６３】
他の変形例（図示せず）によると、反射体３８を僅かな凹面状に形成することができ、この湾曲度はリング上の位置に応じて変化し、長手方向軸に対する観測角度を越えてビームが不均一になることを防止する。これにより、観測する角度がどのようなものであっても、光線が横方向平面において局所的に分散したり集中したりすることを防止し、見る者にとって、リング全体をより均一にする。
【００６４】
他の変形例によると、導光シート２８の出力フェース４０は、リングの位置に応じて、現れる光線を集中させあるいは分散させるように、形成する。出力フェース４０は、凸面状に設計され、前述した反射体３８の場合と同じように、リング上の位置に応じて湾曲半径を変化させる。
【００６５】
均一性を調節するためには、出力フェース４０の領域に突起を形成することもでき、この突起はリング上の位置に応じて多少なりとも集中させて、現れる光線を集中させあるいは分散させる。
【００６６】
対象とする照明モジュールの利用できるスペースが限られている装置の場合は、図６に示すように、本発明の変形例として、導光シート２８を折り曲げることを提案できる。本発明の装置の残りに部分には変更はない。
【００６７】
図６は、折り曲げた導光シート２８ｂとして知られるものの長手方向面の断面図である。「折り曲げられた」導光シート２８ｂは、実際には導光シート２８を折り曲げることにより得られるのではないことは注意すべきである。前述の導光シート２８と異なり、「折り曲げられた」導光シート２８ｂは、異なった面に広がる２個の部材を備える。
【００６８】
「折り曲げられた」導光シート２８ｂは、横方向面に広がる第１の部材２７と長手方向面に広がる第２の部材２９を備えている。
【００６９】
２本のシート部材２７及び２９は、前述の折り曲げていない導光シート２８と同じように、不連続性を生じさせずに、光の向きを変えることができる単一の導光シート２８ｂを形成する。
【００７０】
この目的のため、折り曲げられた導光シート２８ｂは、第１の部材２７と第２の部材２９間に配置された反射フェース３１を備え、このフェース３１が、前述のものと変化していない反射層３０からの光を、前述のものと変化していない出力側外形３６まで反射させる。
【００７１】
反射フェース３１の長手方向軸に対する傾斜角は、折り曲げていない導光シート２８に対して、シートの折り曲げが視覚的にニュートラルになるように選択する。
【００７２】
２本のシート部材が互いに直角である図示の場合、この構成の推薦角度は４５°である。
【００７３】
この部分において、光源３２は、第１部材２７又は第２部材２９のいずれかに配置できる。
【００７４】
光源３２を、第１部材２７に配置する場合、光線の一部は直接反射体３８で反射し、光線の残部は、反射フェース３１で反射して、次いで反射層３０で反射し、再度反射フェース３１で反射し、更に反射体３８で反射し、最後に出力フェース４０から現れる。
【００７５】
光源３２を、第２部材２９に配置する場合、光線は、反射層３０で反射し、次いで反射フェース３１で反射し、更に反射体３８で反射し、最後に出力フェース４０から現れる。
【００７６】
図７は、導光シート２８中の光源３２の位置の変形例を示す。
前述の説明では、光源３２を、導光シート２８内のオリフィス３７中に配置した。
【００７７】
図４の場合、使用する光源３２は、サイドエミッター発光ダイオード、すなわち、装置の横方向面に対して約３０°の円錐形中の長手方向の軸周りに放射状に発光するダイオードである。このタイプのダイオードは、光源３２の長手軸に対して放射状に送光することにより、回転により生じるこのタイプの光の分布を生じさせる。
【００７８】
図７に示した本発明の変形例によると、導光シート２８には孔は形成されず、後面３５に円筒状の空間４２を、軸Ａに関して対称になるように形成し、ここに光源３２を収容する。円筒状の空間４２は、反射層３０の長円形プロファイルの第１の焦点に位置し、それに光源３２が配置される平面状の基部４１を備えている。
【００７９】
前述の態様と比較して都合の良いことは、円筒状の空間４２が、長手方向軸に沿った発光を行う、従来のダイオード型の光源を含む、任意のタイプの光源の配置を可能にすることで、これらはサイドエミッターダイオードとして知られるものより遥かに安価である。
【００８０】
更に導光シート２８は、その前面に、前記空間４２と同じように、同じ軸Ａに沿ったシート２８の前面３３に形成された回転体４４により形成された凹状の円錐プリズムを備え、これにより光源３２による長手方向に発する光が放射状に反射することを可能にする。従って同じ効果が、「サイドエミッタ」ダイオードを使用する際にも得られることになる。
【００８１】
この態様は、例えば、光線を長手方向に発光する、他の多くの安価な従来型ダイオード、あるいは光ガイドの端部に空間４２が形成され、異なった個所に位置する光源からの光線を運び、光ガイドの他端から光線を送り出すような形態から選択することを可能にする。この態様は、回転により導光シート２８内に形成された、プリズムの効果で、光源３２から発光された放射光の最大量を回収できる。
【００８２】
この構成は、再び光源３２を通った反射光の一部を、前記光源３２を通過させることを可能にし、これによりこの装置の性能レベルを、更に高めることができる。
【００８３】
本発明は、本明細書で記載した態様に限定されるものではなく、前述した実施態様の変形や組合せにも及ぶものである。
【図面の簡単な説明】
【００８４】
【図１】従来例の斜視図。
【図２】本発明の装置の概略横断面図。
【図３】本発明による照明装置の概略図。
【図４】本発明の装置を、図３の４−４線で断面した図。
【図５】本発明の装置を、図３の５−５線で断面した図。
【図６】本発明の他の態様による装置の部分概略縦断面図。
【図７】本発明の変形例による装置の縦断面図。
【符号の説明】
【００８５】
１０  反射鏡
１２  光学的束
１６  屈曲部
１８  光ガイド
２８  導光シート
３０  反射層
３２  光源
３３  前面
３４  入力側層
３５  後面
３６  出力側外形
３７  オリフィス
３８  反射体
４０  出力側フェース
４１  基部
４２  空間
４４  回転体
５０  扇形部分
【図１】
2007311352.tif 000003
【図２】
2007311352.tif 000004
【図３】
2007311352.tif 000005
【図４】
2007311352.tif 000006
【図５】
2007311352.tif 000007
【図６】
2007311352.tif 000008
【図７】
2007311352.tif 000009
【外国語明細書】
2007311352000001.pdf